(57)【要約】【課題】作業効率の低下や情報の漏洩を防止できる画像形成装置を提供する。【解決手段】所定の画面を表示する表示部２０を備えた画像形成装置１０である。ユーザの画像を撮影する画像センサ５２と、画像センサで撮影した画像の所定の特徴点に基づいてユーザを特定可能なユーザ特定部４２と、ユーザ特定部の特定結果に基づいて表示部への表示を制御する表示制御部４１とを有する。画像センサで撮影した画像に基づいてユーザ特定部で第１ユーザが特定され、第１ユーザ向けの画面が表示部に表示されている場合に、第１ユーザが検知されなくなり、第１ユーザとは別の第２ユーザを特定したとき、第１ユーザが作業中であってユーザによる入力機能をロックする旨を通知すると共にユーザからのロック解除を受け付ける画面を表示面に表示する【選択図】図２
2018196998.tif 000002
【特許請求の範囲】
【請求項１】
所定の画面を表示する表示部を備えた画像形成装置であって、
ユーザの画像を撮影する画像センサと、該画像センサで撮影した画像の所定の特徴点に基づいて前記ユーザを特定可能なユーザ特定部と、該ユーザ特定部の特定結果に基づいて前記表示部への表示を制御する表示制御部とを有し、
前記画像センサで撮影した画像に基づいて前記ユーザ特定部で第１ユーザが特定され、該第１ユーザ向けの画面が前記表示部に表示されている場合に、
前記第１ユーザが検知されなくなり、前記ユーザ特定部が前記第１ユーザとは別の第２ユーザを特定したとき、前記表示制御部は、前記第１ユーザが作業中であってユーザによる入力機能をロックする旨を通知すると共にユーザからのロック解除を受け付ける画面を前記表示面に表示することを特徴とする画像形成装置。
【請求項２】
請求項１に記載の画像形成装置であって、
前記所定の特徴点は、ユーザの顔、該ユーザが着用した服装の色、該服装に付されたマークの少なくとも１つであることを特徴とする画像形成装置。
【請求項３】
請求項１または２に記載の画像形成装置であって、
前記第１ユーザが検知されなくなり、前記ユーザ特定部が前記第１ユーザとは別の第２ユーザを特定した際に、前記第１ユーザによる操作履歴を記憶する記憶部をさらに有することを特徴とする画像形成装置。
【請求項４】
請求項１から３の何れか１項に記載の画像形成装置であって、
前記画像センサは前記表示部の近傍で同一面上にあることを特徴とする画像形成装置。
【請求項５】
請求項１から４の何れか１項に記載の画像形成装置であって、
前記画像センサは前記表示部の同一面上で表示部の上方にあることを特徴とする画像形成装置。
【発明の詳細な説明】
【技術分野】
【０００１】
本発明は、画像形成装置に関し、詳細には、ユーザが画像形成装置本体の所定位置に居るか否かを検知する人感センサと、所定の設定画面を表示する表示部とを備えた画像形成装置に関する。
【背景技術】
【０００２】
画像形成装置には、例えば、コピー、ファクシミリ、スキャナ、印刷などの複数の機能を備えた複合機（ＭＦＰ：Ｍｕｌｔｉ  Ｆｕｎｃｔｉｏｎ  Ｐｅｒｉｐｈｅｒａｌ）があり、インターネットやイントラネットに接続されると、複数のユーザで共有できる。画像形成装置を複数のユーザで共有している場合、ユーザの操作中には別のユーザは操作できない。例えば、特許文献１には、人感センサを備えた画像形成装置の技術が開示されており、人感センサの検知信号に基づいてユーザが画像形成装置から離れた場合、認証状態を解除あるいは表示部の入力機能をロックしており、再認証手続を経た後にユーザの操作を許容している。
【先行技術文献】
【特許文献】
【０００３】
【特許文献１】特開２０１３−４５３１５号公報
【発明の概要】
【発明が解決しようとする課題】
【０００４】
ところで、画像形成装置を管理者やサービスマンが操作する場合、その場で屈んだ姿勢を採ったり、画像形成装置の左側面や右側面に移動することが多く、特許文献１に記載の装置では、人感センサの検知位置から外れる度に再認証手続が必要になるため、管理者やサービスマンにとって不便である。一方、再認証手続を経ずに操作画面への入力を可能にしておくと、管理者やサービスマンの情報が漏洩するおそれがあるという問題が生じる。
【０００５】
本発明は、上述のような実情に鑑みてなされたもので、作業効率の低下や情報の漏洩を防止できる画像形成装置を提供することを目的とする。
【課題を解決するための手段】
【０００６】
上記課題を解決するために、本発明の第１の技術手段は、
所定の画面を表示する表示部を備えた画像形成装置であって、ユーザの画像を撮影する画像センサと、該画像センサで撮影した画像の所定の特徴点に基づいて前記ユーザを特定可能なユーザ特定部と、該ユーザ特定部の特定結果に基づいて前記表示部への表示を制御する表示制御部とを有し、前記画像センサで撮影した画像に基づいて前記ユーザ特定部で第１ユーザが特定され、該第１ユーザ向けの画面が前記表示部に表示されている場合に、前記第１ユーザが検知されなくなり、前記ユーザ特定部が前記第１ユーザとは別の第２ユーザを特定したとき、前記表示制御部は、前記第１ユーザが作業中であってユーザによる入力機能をロックする旨を通知すると共にユーザからのロック解除を受け付ける画面を前記表示面に表示することを特徴としたものである。
【０００７】
第２の技術手段は、第１の技術手段において、前記所定の特徴点は、ユーザの顔、該ユーザが着用した服装の色、該服装に付されたマークの少なくとも１つであることを特徴としたものである。
【０００８】
第３の技術手段は、第１または第２の技術手段において、前記第１ユーザが検知されなくなり、前記ユーザ特定部が前記第１ユーザとは別の第２ユーザを特定した際に、前記第１ユーザによる操作履歴を記憶する記憶部をさらに有することを特徴としたものである。
【０００９】
第４の技術手段は、第１から第３のいずれか１の技術手段において、前記画像センサは前記表示部の近傍で同一面上にあることを特徴としたものである。
【００１０】
第５の技術手段は、第１から第４のいずれか１の技術手段において、前記画像センサは前記表示部の同一面上で表示部の上方にあることを特徴としたものである。
【発明の効果】
【００１１】
本発明によれば、第１ユーザとは別の第２ユーザの特徴点を画像センサで抽出し、この第２ユーザが画像形成装置本体の所定位置に居ると判定された場合、第１ユーザ向けの画面が表示部から消去状態にあるので、第１ユーザに関する情報の漏洩を防止できる。
【図面の簡単な説明】
【００１２】
【図１】本発明による画像形成装置の外観斜視図である。
【図２】図１の画像形成装置の構成図である。
【図３】図１，２の操作部の説明図である。
【図４】本発明による画面表示処理のフローチャートである。
【図５】本発明による画面表示処理のフローチャートである。
【図６】ログイン画面および各種設定画面の説明図である。
【図７】ユーザ認識の説明図である。
【図８】第２実施形態による入力ロック画面の説明図である。
【発明を実施するための形態】
【００１３】
以下、図面を参照しながら本発明の画像形成装置について説明する。図１は、本発明による画像形成装置の外観斜視図、図２は、図１の画像形成装置の構成図であり、図３は、図１，２の操作部の説明図である。画像形成装置１０は、例えば、胴内排紙型の画像形成装置本体１０ａを有し、この装置本体１０ａの上方には、自動原稿送り装置（ＡＤＦ）あるいは原稿押さえを搭載した原稿読取部１３が設けられている。
【００１４】
図１に示すように、原稿読取部１３の下方には排紙トレイ１０ｂが設けられ、装置本体１０ａの正面や右側面から印刷済みの用紙を容易に取り出すことができる。なお、装置本体１０ａの左側面は後処理装置５０に連結され、ユーザが印刷後の用紙の紙折りや、ステープル、あるいはファイリング用の穴明け等の処理を希望した場合、装置本体１０ａから送り出された用紙に各処理を施すことができる。
【００１５】
図２に示すように、画像形成装置１０は、通信Ｉ／Ｆ１１、操作部１２、原稿読取部１３、画像処理部１４、印刷部１５、記憶部１６、制御部１７等を有し、これらはバスを介して接続される。
制御部１７は、通信Ｉ／Ｆ１１を介して外部装置（図示省略）と通信可能に構成されている。通信Ｉ／Ｆ１１は、例えば、ＦＡＸ通信部、インターネット用通信部、赤外線通信部等を備えている。
【００１６】
制御部１７は、例えば１あるいは複数個のＣＰＵ（Ｃｅｎｔｒａｌ  Ｐｒｏｃｅｓｓｉｎｇ  Ｕｎｉｔ）等からなり、記憶部１６の例えばＲＯＭに格納されている各種のプログラムやデータをＲＡＭにロードし、このロードしたＲＡＭ内のプログラムを実行する。これにより、データを処理しつつ、ユーザからの指示内容等に基づいて画像形成装置１０の全体の動作を制御できる。
【００１７】
原稿読取部１３は、所定位置にセットされた原稿を光学的に読み取り可能に構成され、読み取られた原稿の画像は制御部１７を経由して画像処理部１４に出力される。
図３に示すように、操作部１２は、例えば、原稿読取部１３の手前側に配置されており、操作部本体１２ａ上に、図２で説明した液晶のディスプレイ２２と透明抵抗膜方式のタッチパネル２１からなる操作パネル２０や、接触接点を用いたハードキー２３を有している。なお、操作パネル２０が本発明の表示部に相当する。また、操作部１２の近傍にカードリーダ（図示省略）を設置してもよい。
【００１８】
図２で説明したタッチパネル２１は例えばディスプレイ２２に重ねて形成され、操作パネル２０には、画像形成装置１０を操作するためのＧＵＩ（Ｇｒａｐｈｉｃａｌ  Ｕｓｅｒ  Ｉｎｔｅｒｆａｃｅ）が表示される。
画像処理部１４は、例えば、原稿読取部１３で読み取られた原稿のデータに種々の処理を行って画像データを生成する。この生成された画像データが印刷部１５に出力される。上記読み取られた原稿のデータや生成された画像データは、記憶部１６の入力画像領域３１に格納される。
【００１９】
印刷部１５は、給紙、画像形成、転写、定着、排紙等を行って印刷を実行可能に構成され、画像処理部１４からの画像データを用紙に印刷する。なお、印刷部１５が両面印刷機能を備えている場合には、用紙の片面の他、もう一方の面にも画像処理部１４からの原稿の画像データを印刷できる。
また、制御部１７は、例えば、表示制御部４１、ユーザ認証部４２を備えている。
【００２０】
表示制御部４１は、ユーザ番号の入力欄あるいはログイン名やパスワードの各入力欄など、ユーザ認証のためのログイン画面を操作パネル２０に表示できる。また後述のように、画像形成装置１０を操作するための各種設定画面なども操作パネル２０に表示できる。各種設定画面の項目は、記憶部１６の操作履歴領域３４に格納される。
ユーザ認証部４２は、操作部１２などで入力された情報や、ユーザ所有の例えばＩＣカードをカードリーダで読み取った情報を、記憶部１６のユーザ情報領域３２に格納されているユーザ識別情報と照合しており、ログイン等の成否を判定する。
【００２１】
また、画像形成装置１０には、人感センサ５１および画像センサ５２が設けられている。詳しくは、人感センサ５１は、図１に示すように、装置本体１０ａの所定位置（例えば正面）に設置され、画像形成装置１０と共に起動し、例えば焦電センサのように、人体から発生した赤外線を検知することにより、ユーザが装置本体１０ａの正面に居るか否かを検知できる。なお、人感センサは、振動波の跳ね返りを検出する超音波方式でもよく、また、ＬＥＤ光源の透過光や反射光を検知してもよい。
【００２２】
一方、画像センサ５２は、図３に示すように、操作パネル２０の近傍に設置された例えばＣＣＤ（Ｃｈａｒｇｅ  Ｃｏｕｐｌｅｄ  Ｄｅｖｉｃｅ）であり、ユーザが例えば操作パネル２０にタッチした場合に起動し、装置本体１０ａの正面で操作パネル２０を覗いて操作するユーザの画像を撮影できる。撮影画像は制御部１７を介して画像処理部１４に出力され、顔や服装の色などの特徴点が抽出される。この抽出された特徴点もユーザ情報領域３２に格納される。なお、特徴点は、ユーザの顔、ユーザが着用した服装の色、この服装に付されたマーク、さらには装身具（例えば眼鏡等）から抽出してもよい。
【００２３】
また、ユーザ認証部４２は、画像センサ５２で撮影した画像の特徴点に基づき、顔認識や色認識によってユーザを特定できる。このため、ユーザ認証部４２が本発明のユーザ特定部に相当する。
顔認識や色認識は、一般に使用されている方法を使用できる。例えば、多数の顔画像や色から算出した標準的な顔画像や色を参照データとして記憶部１６の参照データ領域３３に格納しており、その参照データとの相関値から顔や色を認識する。そして、ユーザ情報領域３２の情報と照合して同一のユーザであるか否かを判別する。
【００２４】
このように、画像センサで撮影した画像を用いてユーザを特定すれば、例えば指紋認証などのような事前設定が不要になり、ユーザにとって便利である。
人感センサ５１による検知結果やユーザ認証部４２による特定結果は表示制御部４１に出力され、表示制御部４１は、操作パネル２０を消灯したり、各種設定画面などを操作パネル２０に表示させる。
【００２５】
（第１実施形態）
図４，５は、本発明による画面表示処理のフローチャートである。本実施形態では、人感センサ５１による検知結果に基づいて操作パネル２０を消灯させる例を想定する。図６は、ログイン画面および各種設定画面の説明図であり、図７は、ユーザ認識の説明図である。
【００２６】
まず、人感センサ５１により、ユーザが装置本体１０ａの正面に居ることを検知した場合（図４のステップＳ１０のＹＥＳ）、操作パネル２０には、ログイン画面、例えば図６（Ａ）に示すパスワード入力画面６０が表示される（図４のステップＳ１１）。
次いで、ユーザ認証部４２が、パスワードの入力内容とユーザ情報領域３２に格納されているユーザ識別情報と照合し、正規のユーザ（第１ユーザ、例えば管理者やサービスマンに相当する）であると判定した場合（ステップＳ１２のＹＥＳ）、ログイン成功となってステップＳ１３に進む。なお、正規のユーザではないと判定した場合（ステップＳ１２のＮＯ）、このフローを抜ける。
【００２７】
ログインが成功すると、画像センサ５２が装置本体１０ａの正面に居る第１ユーザの画像を取得すると共に、画像処理部１４が画像センサ５２の画像から第１ユーザの顔や服装の色などの特徴点を抽出する。また、表示制御部４１は、操作パネル２０に当該第１ユーザ向けの画面、例えば図６（Ｂ）に示す各種設定画面６１を表示させる（図４のステップＳ１３）。これにより、第１ユーザは各種のジョブ等を選択できる。
【００２８】
画像処理部１４の抽出結果は、第１ユーザの人物情報としてユーザ情報領域３２に格納される（ステップＳ１４）。この場合、図７に示すように、上側に位置した画像の色を顔の色と認識し、下側に位置した色を服装の色と認識することもできる。
続いて、例えば人感センサ５１の検知出力がありからなしに切り替わった場合（図４のステップＳ１５のＹＥＳ）、上記の第１ユーザが装置本体１０ａの正面から居なくなったと判別できる。これにより、表示制御部４１は例えば操作パネル２０を消灯させ、図６（Ｂ）で説明した第１ユーザ向けの設定画面を操作パネル２０から消す。この場合、当該第１ユーザによる操作内容は、記憶部１６の操作履歴領域３４に格納される（ステップＳ１６）。第１ユーザによる操作履歴を記憶すれば、第１ユーザによる次回の操作時に前回の続きから操作を開始できる。
【００２９】
続いて、人感センサ５１の検知出力がなしのままの場合や（図５のステップＳ２０のＮＯ）、人感センサ５１の検知出力がありに切り替わり、ユーザが装置本体１０ａの正面に居ることを検知したが（ステップＳ２０のＹＥＳ）、画像形成装置１０を操作、例えば操作パネル２０がタッチされず（ステップＳ２１のＮＯ）、その後、人感センサ５１の検知出力がなしに切り替わった場合（ステップＳ２０のＮＯ）、操作パネル２０の消灯を継続する（図４のステップＳ１６）。ユーザが装置本体１０ａの正面に来ても、例えばこのユーザが印刷済みの用紙を排紙トレイ１０ｂから取り出すためであった場合のように、ユーザが画像形成装置１０を操作しないときには上記第１ユーザ向けの設定画面を操作パネル２０に表示しなくて済むので、第１ユーザに関する情報の漏洩を防止できる。
【００３０】
一方、人感センサ５１の検知出力がありに切り替わって、ユーザが装置本体１０ａの正面に居ることを検知し（図５のステップＳ２０のＹＥＳ）、操作パネル２０がタッチされた場合（ステップＳ２１のＹＥＳ）、画像センサ５２が装置本体１０ａの正面に居るユーザの画像を取得する（ステップＳ２２）。画像処理部１４は、画像センサ５２の画像から当該ユーザの顔や服装の色などの特徴点を抽出し、ユーザ認証部４２が当該ユーザの特定を開始する。抽出結果はユーザ情報領域３２に格納される。
【００３１】
ユーザ認証部４２が、画像センサ５２で今回撮影した画像とユーザ情報領域３２の情報と照合し、ログイン中の人物と同一人物であるか否かを判別する（ステップＳ２３，Ｓ２４）。具体的には、ログイン中の人物、つまり、上記第１のユーザであると判定した場合（ステップＳ２４のＹＥＳ）、この第１ユーザによる操作履歴を操作履歴領域３４から呼び出して当該第１ユーザ向けの設定画面を操作パネル２０に表示する（ステップＳ２５）。なお、その後、ログアウトした場合（ステップＳ２６のＹＥＳ）にはこのフローを抜ける。
【００３２】
これに対し、ユーザ認証部４２が、上記第１のユーザではないと判定した場合（ステップＳ２４のＮＯ）、この第１のユーザとは別の第２ユーザが装置本体１０ａの正面に居ると判別できる。この場合には、操作パネル２０の消灯を継続すると共に、例えばログアウトし（ステップＳ２７）、第１ユーザ向けの画面とは異なる画面、例えば図６（Ａ）で説明したパスワード入力画面６０が操作パネル２０に表示される（図４のステップＳ１１）。
【００３３】
このように、第１ユーザとは別の第２ユーザの特徴点を画像センサで抽出し、この第２ユーザが画像形成装置本体の正面に居ると判定された場合、第１ユーザ向けの設定画面が操作パネル２０から消去状態にあり、第１ユーザに関する情報は見えないので、その情報の漏洩を確実に防止できる。
また、上記のように第１ユーザが人感センサの検知位置から外れても（図４のステップＳ１５のＹＥＳ）、この第１ユーザが再び特定された場合（図５のステップＳ２４のＹＥＳ）には第１ユーザ向けの設定画面を操作パネル２０に表示するので（ステップＳ２５）、従来のような再認証手続が不要になり、作業効率の低下を防止できる。
【００３４】
なお、上記第１実施形態では、人感センサ５１の検知出力がなしに切り替わった場合（図４のステップＳ１５のＹＥＳ）、第１ユーザ向けの設定画面を操作パネル２０から消すと共に、当該第１ユーザによる操作履歴を操作履歴領域３４に格納した（ステップＳ１６）。しかし、当該第１ユーザによる操作履歴は、ユーザ認証部４２が第１のユーザではないと判定してログアウトした場合（図５のステップＳ２４のＮＯ，Ｓ２７）に、操作履歴領域３４に格納してもよい。
【００３５】
（第２実施形態）
図８は、第２実施形態による入力ロック画面の説明図である。第１実施形態では、ユーザ認証部４２が第１のユーザではないと判定した場合にログアウトしていた（図５のステップＳ２４のＮＯ，Ｓ２７）。しかし、このログアウトに替えて、第１ユーザ向けの画面とは異なる画面として、例えばユーザによる入力機能をロックする旨の画面を操作パネル２０に表示してもよい。
【００３６】
詳しくは、図８に示すように、操作パネル２０には「第１ユーザが作業中です。」と示した入力ロック画面６２が表示されている。この場合にも第１ユーザに関する情報が見えなくなるので、その情報漏洩を確実に防止できる。
なお、入力ロック画面６２には、図８に示すような［ロック解除］キーを設けることができ、この［ロック解除］キーをタッチした場合、入力機能のロック状態を終了させることができる。これにより、第２ユーザが使用する場合にはロック状態を解除でき、所望のジョブを速やかに開始できる。
【００３７】
（第３実施形態）
また、上記実施形態では、人感センサ５１の検知出力がなしに切り替わった場合（図４のステップＳ１５のＹＥＳ）、第１ユーザ向けの設定画面を操作パネル２０から消したが（ステップＳ１６）、第１ユーザ向けの設定画面は、人物探索の後に消してもよい。
具体的には、人感センサ５１の検知出力がなしに切り替わっても（ステップＳ１５のＹＥＳ）、第１ユーザ向けの設定画面を表示し続ける。そして、人感センサの検知出力がありに切り替わり、次いで画像センサ５２の画像から人物探索をした結果、ログイン中の第１ユーザではないと判定された場合に、例えば操作パネル２０を消灯してログアウトすることも可能である。ユーザ認証部４２で第２ユーザが特定されるまでは、第１ユーザ向けの画面を消さないため、この場合にも従来のような再認証手続が不要になる。
【００３８】
また、上記実施形態では、画像処理部１４が画像センサ５２の画像からユーザの顔や色の特徴点を抽出したが、画像センサはユーザの眼を撮影し、画像処理部が虹彩のパターンを抽出することにより、ユーザ認証部４２がユーザを特定してもよい。
【符号の説明】
【００３９】
１０…画像形成装置、１０ａ…画像形成装置本体、１０ｂ…排紙トレイ、１１…通信Ｉ／Ｆ、１２…操作部、１２ａ…操作部本体、１３…原稿読取部、１４…画像処理部、１５…印刷部、１６…記憶部、１７…制御部、２０…操作パネル、２１…タッチパネル、２２…ディスプレイ、２３…ハードキー、３１…入力画像領域、３２…ユーザ情報領域、３３…参照データ領域、３４…操作履歴領域、４１…表示制御部、４２…ユーザ認証部、５０…後処理装置、５１…人感センサ、５２…画像センサ、６０…パスワード入力画面、６１…各種設定画面、６２…入力ロック画面。
【図１】
2018196998.tif 000003
【図２】
2018196998.tif 000004
【図３】
2018196998.tif 000005
【図４】
2018196998.tif 000006
【図５】
2018196998.tif 000007
【図６】
2018196998.tif 000008
【図７】
2018196998.tif 000009
【図８】
2018196998.tif 000010